【手続補正書】
【提出日】平成18年8月22日(2006.8.22)
【手続補正１】
【補正対象書類名】明細書
【補正対象項目名】特許請求の範囲
【補正方法】変更
【補正の内容】
【特許請求の範囲】
【請求項１】
爆発チャンバー（１）およびバレル（２）を具備し、
燃料および酸化剤が直接的に且つ独立して供給され、
バレル（２）に供給されてからコートされるべきピースに向ってスプレーされるコーティング用材料を運ぶガスを、点火システム（６）と共同して、爆発プロセスで生成するタイプの、高周波パルス・レートおよび高生産性のデトネーション・スプレー・ガンであって、
（ａ）同じチャンバー空間（１）内で同じ爆発サイクルについて、より大きい又はより小さいエネルギーを有する複数のゾーンを形成するために、爆発チャンバーの種々のゾーンで種々の組成の爆発性混合物を生成するための燃料および酸化剤を供給する手段、および
（ｂ）高い供給体積およびバレルに存在するガスの適当な混合物を得るための、バレル内への製品の分散供給手段
を含み、バレルで任意のポイントに製品を注入し、以ってより大きな操作上の多様性を与えるように、製品の分散供給手段の位置が使用者によってバレル（２）の長さに沿って選択および変更され得る、ガン。
【請求項２】
酸化剤を供給する手段（４）が複数の注入ポイント（１７，１８）を有し、当該ポイントは爆発チャンバー（１）の長さに沿って空間的に分配されており、燃料を供給する手段（５）が複数の注入ポイント（１６）を有し、それらは全て爆発チャンバー（１）の最後尾のゾーン（１１）に配置され、このことはすべて、点火ゾーン（１２）に近いゾーンでは燃料濃度が高い混合物を生成するが、バレル（２）との接続部に近いゾーン（１３）において酸化剤のパーセンテージを徐々に増加させるためのものであることを特徴とする請求項１に記載の高周波パルス・レートおよび高生産性のデトネーション・スプレー・ガン。
【請求項３】
点火ゾーン（１２）で生成される爆発性混合物が、各サイクルで爆発チャンバーに供給される酸化剤の最大２５％および燃料の１００％をこのゾーン（１２）に局所的に注入した結果得られたものであることを特徴とする請求項１または請求項２に記載の高周波パルス・レートおよび高生産性のデトネーション・スプレー・ガン。
【請求項４】
爆発チャンバー（１）が、爆発チャンバー（１）の狭小化を決定し、インジェクタ（５）のオリフィス（１６）を介して燃料が排他的に供給される制限された空間（１１）を形成する内部隆起または周縁リブ（１４）を、第１の酸化剤供給オリフィス（１７）と燃料供給オリフィス（１６）との間に具備することを特徴とする請求項１〜３のいずれか１項に記載の高周波パルス・レートおよび高生産性のデトネーション・スプレー・ガン。
【請求項５】
酸化剤を供給する手段が、爆発チャンバー（１）内部にそれと同心に配置された軸方向のインジェクタ（４）であって、空間（１１）の外側において周縁のリブ（１４）の直後に配置された半径方向のオリフィス（１７）の組を備えたインジェクタを含み、当該軸方向のインジェクタが、半径方向のオリフィス（１８）を備えた、バレル（２）の先頭に向かって実質的に延在する延長部（１５）を一方の端部にて有し、これらのオリフィスが、爆発チャンバー（１）の長さに沿って配置されていることを特徴とする請求項１〜４のいずれか１項に記載の高周波パルス・レートおよび高生産性のデトネーション・スプレー・ガン。
【請求項６】
酸化剤フィーダの半径方向のオリフィス（１７）および（１８）がバレル（２）の軸に関して斜めに配置されていることを特徴とする請求項１〜５のいずれか１項に記載の高周波パルス・レートおよび高生産性のデトネーション・スプレー・ガン。
【請求項７】
バレル（２）内への製品の分散供給手段が、１または複数の製品フィーダ入口（８）で補助された、バレルの任意の位置に形成された１または複数の環状チャンバー（９）から成り、１または複数の環状チャンバー（９）が出口（１０）または出口ダクトを有し、これを介して製品は分散してバレル（２）に入ることができ、それにより、これらの供給手段がコーティング用粉体の注入のために使用されると、それらはバレルに供給される粉体の量を増加させることができ、起こり得る注入ダクトの閉塞を減少させ、一方、それらが燃焼において活性な製品を注入するために使用されると、混合物の性質を局所的に変え、ならびに／または任意にスプレー・プロセスを整えることが可能になることを特徴とする請求項１〜６のいずれか１項に記載の高周波パルス・レートおよび高生産性のデトネーション・スプレー・ガン。
【請求項８】
出口（１０）が、可変の長さ、断面および方向を有する環状のダクトに形成されることを特徴とする、請求項１または７に記載の高周波パルス・レートおよび高生産性のデトネーション・スプレー・ガン。
【請求項９】
１または複数の環状チャンバー（９）が、バレルで任意の位置に取り付けられた１または複数の可動フランジ（７）に形成され、前記１または複数のフランジ（７）が、ガンのメンテナンスの間、インジェクタへのアクセスを容易にし、また、ガンに関して種々の機能的な特性を決定するために１つのガンが種々の交換可能なセグメントを有することを可能にするように、物理的に独立したバレルのセグメントを規定することを特徴とする、請求項１、７および８のいずれか１項に記載の高周波パルス・レートおよび高生産性のデトネーション・スプレー・ガン。
【請求項１０】
出口（１０）がバレル（２）の内壁とフランジ（７）の軸方向のリブ（２５）との間で規定されるダクトに形成されていることを特徴とする、請求項１、７、８および９のいずれか１項に記載の高周波パルス・レートおよび高生産性のデトネーション・スプレー・ガン。
【請求項１１】
環状チャンバー（９）の出口（１０）が、特にコーティング用粉体に関して、注入される材料の量を増加させるために長手方向の溝（２３）を含むことを特徴とする、請求項１、７、８、９および１０のいずれか１項に記載の高周波パルス・レートおよび高生産性のデトネーション・スプレー・ガン。
【請求項１２】
環状チャンバー（９）の出口（１０）が、バレルと連絡する軸方向の環状通路に加えて、バレルに対して半径方向で開いている複数のオリフィス（２４）を有しており、その場合には環状チャンバーが特にコーティング用粉体の注入に適していて、ガンの大きな生産性を達成し、注入ダクトで閉塞を減らすことを特徴とする、請求項１、７、８、９、１０および１１のいずれか１項に記載の高周波パルス・レートおよび高生産性のデトネーション・スプレー・ガン。
【請求項１３】
環状チャンバー（９）がバレル（２）の内部に、環状ダクト（１０）および／または円周上に配列したオリフィス（２２’）を介して開いていることを特徴とする、請求項１、７、８、９、１０、１１および１２のいずれか１項に記載の高周波パルス・レートおよび高生産性のデトネーション・スプレー・ガン。
【請求項１４】
軸方向のリブ（２５）が延長された長さ部分を有し、当該長さ部分はバレル（２）の内部に重ねられていて、インジェクタが不活性ガスの導入に使用される場合に、爆発ガスがバレル（２）の中央ゾーンに沿って進行するとともに、不活性ガスがバレルの壁と接触して流れて一種の移動可能な円筒形のフィルムを形成し、当該フィルムがバレル（２）の壁を介する熱損失を減少させ、それの出口にて保護フィルムを規定し、保護フィルムが爆発プロセスからの製品と周囲のガスとの混合を減少させ且つ遅らせるようになっていることを特徴とする、請求項１、７、８、９、１０、１１、１２および１３のいずれか１項に記載の高周波パルス・レートおよび高生産性のデトネーション・スプレー・ガン。
【請求項１５】
前記フランジ（７）が、環状チャンバー（９）の前に配置された第２の環状チャンバー（２０）であって、それ自身の入口ダクト（２１）が設けられ、当該ダクトはバレル（２）の内部で環状チャンバー（９）の出口（１０）の直前で開いており、第１の入口を介して導入される製品と同じ又は異なる特性を有する製品を、ガンのバレルへ供給するための第２の供給ポイントを与えるように設計されている、環状チャンバーを含むことを特徴とする、請求項１、７、８、９、１０、１１、１２、１３および１４のいずれか１項に記載の高周波パルス・レートおよび高生産性のデトネーション・スプレー・ガン。
【請求項１６】
フランジ（７）が、各フランジ（７）とそれが接続されるバレルセグメントとの間の分離を変更して、調節可能な間隔を当該２つの部品の間で形成し、外気が入ることを許容するセパレータ・デバイス（１９）を具備していることを特徴とする、請求項１、７、８、９、１０、１１、１２、１３、１４および１５のいずれか１項に記載の高周波パルス・レートおよび高生産性のデトネーション・スプレー・ガン。
【請求項１７】
フランジ（７）が、第１の収束セクションを有し、その後に出口（１０）と一致する広がりセクションが続いて、２つのバレルセクション（２）（２’）を接続していることを特徴とする、請求項１、７、８、９、１０、１１、１２、１３、１４、１５および１６のいずれか１項に記載の高周波パルス・レートおよび高生産性のデトネーション・スプレー・ガン。
【手続補正２】
【補正対象書類名】明細書
【補正対象項目名】００２５
【補正方法】変更
【補正の内容】
【００２５】
爆発チャンバー内部では、酸化剤供給のために用いられるオリフィスの直前に、爆発チャンバーの内径の狭小化（または狭まり）を決定する隆起または内側周縁リブが存在し、爆発チャンバーの最後尾のゾーンに配置される複数の分配器を介して、燃料が排他的に供給される環状の空間（または体積もしくは容積）を規定する。この制限された空間は、爆発で生成したガスと冷却されるチャンバー壁の熱交換に有利に作用し、また、２つの連続する爆発サイクルに関与するガスの間の断熱バリアとして作用するガスの体積を増加させ、このようにして、本特許の目的である高いガス流速および高い周波数によって課される環境下でパルス化されるプロセスのメンテナンスを簡単にする。
【手続補正３】
【補正対象書類名】明細書
【補正対象項目名】００２６
【補正方法】変更
【補正の内容】
【００２６】
この操作スキームに従って、点火プラグの各点火の後に、爆発プロセスによって生成する衝撃および温度波の伝播が、前記制限された環状の空間に戻り、この空間に存在する燃料の燃焼および分解を、過圧とともに生じさせる。過圧は、燃料供給の中断を生じさせ、分配ダクトを経由する燃焼の生成物の侵入をも生じさせる。高い周波数にて操作するために必要とされる高いガスの流速は、この後者の要素が減じられることを引き起こし、その結果、新しい燃料が分配ダクトを介して爆発チャンバーに急速に侵入し得るが、この影響は、この制限された環状の空間が爆発チャンバーに存在することによって埋めあわされ、燃焼生成物において、その容量は、先の爆発に由来する熱いガスと爆発チャンバーに供給される新しいガスとの間で断熱バリアとして作用するのに十分な量のガスを生じさせる。
【手続補正４】
【補正対象書類名】明細書
【補正対象項目名】００３０
【補正方法】変更
【補正の内容】
【００３０】
好ましい構成によれば、酸化剤のインジェクタは、爆発チャンバーの内側に同心に配置され、１つの端部にてガンのバレルに実質的に延在する延長部を有し、この延長部は、爆発チャンバーにおいて、この進んだ位置に酸化剤を注入するために、ガンのバレルに関して斜めに配置されたオリフィスの組（またはシリーズ）を組み込んでいる。
【手続補正５】
【補正対象書類名】明細書
【補正対象項目名】００３４
【補正方法】変更
【補正の内容】
【００３４】
本発明の別の特徴によれば、上述の環状チャンバーが、チャンバーを２つのセグメントに分割するフランジの形態をとり、フランジが注入ダクトのメンテナンスのために分割されるように、また、出口に対応するバレルのフロント部分が異なる特徴を有するものと取り替えられるようにし、それによって、同じガンが、より大きい又はより小さい熱および/もしくは運動エネルギーを必要とする種々の材料によるコーティングを許容する種々の長さを含む、従って、より長いまたは短いバレルを含む幾つかの構成を有し得るようにすることが案出された。
【手続補正６】
【補正対象書類名】明細書
【補正対象項目名】００３８
【補正方法】変更
【補正の内容】
【００３８】
上述の環状供給システムは、混合物の性質を局所的に変更して爆発プロセスを整えることを可能にするであろう方法において、活性ガスの注入のために使用することもまた可能であり、その結果、例えば、これらの活性ガスは、実際のスプレー・プロセス自体のエネルギー特性を変え、スプレーされる粒子に適用される温度および速度を変えることができ、あるいは、それらは、これらのガスと付着させる粒子との間の反応性の相互作用を整える熱化学的な環境をも提供し得、あるいはスプレー・プロセスの間に付着される材料の合成さえをも生じさせ得る。
【手続補正７】
【補正対象書類名】明細書
【補正対象項目名】００４８
【補正方法】変更
【補正の内容】
【００４８】
本発明のガンの主たる特徴の１つは、それが、爆発チャンバー（１）内にそれと同心に配置された酸化剤（例えば酸素）フィーダ（４）を具備しているという事実に関する。酸化剤フィーダは、一方の端部にて、ガンのバレル（１３）と連絡しているゾーンに実質的に延在する延長部を具え、酸化剤（例えば酸素）を供給するための複数（または多数）のオリフィス（１７）（１８）を具備しており、爆発チャンバーの至るところに分布された種々の位置に、この酸化剤を供給することを可能にする。
【手続補正８】
【補正対象書類名】明細書
【補正対象項目名】００５２
【補正方法】変更
【補正の内容】
【００５２】
本発明の別の特徴によれば、図５においてちょうど見ることができるように、フランジ（７）は、フランジ（７）とバレルの最初のセクター（２）との間の間隔を変えることを可能にするセパレータ・デバイス（１９）を具備することができ、その結果、それらの間で調節可能な分離（または間隔）が形成され、外気が入ることを許容する。